(57)【要約】【課題】基材の両面に夫々記録した情報を透過Ｘ線により投影して、その合成情報により簡単且つ確実な真偽判別を可能とする。【解決手段】基材１の一方の面に第１の情報３を記録するとともに、その上に第１の情報の存在を隠蔽するための金属層４を設け、さらに基材１の他方の面に第２の情報５を記録することによって、透過Ｘ線のもとで第１の情報３及び第２の情報５を合成した第３の情報６を認識可能として真偽判別を行う。【選択図】      図１
2004192372.tif 000002
【特許請求の範囲】
【請求項１】
基材と、
上記基材の一方の表面の所定の領域に、Ｘ線透過率がα％（但し、αは定数とする。）のインキで印刷された第１の情報と、
上記第１の情報の存在を隠蔽するために、上記一方の表面から、上記所定の領域を被覆するＸ線透過率がβ％（但し、α＜β；βは定数とする。）の非磁性金属層と、
上記基材の他方の表面上の上記所定の領域に相当する領域に、Ｘ線透過率がγ％（但し、γ＜β；γは定数とする。）のインキで印刷された第２の情報と、
透過Ｘ線のもとで上記第１の情報と上記第２の情報とが合成されて得られる第３の情報とを備え、
上記基材のＸ線透過率が上記第１の情報のＸ線透過率であるα％及び上記第２の情報のＸ線透過率であるγ％よりも高く、上記金属層のＸ線透過率が上記基材のＸ線透過率よりも高いことを特徴とする情報記録媒体。
【請求項２】
基材と、
上記基材の一方の表面の所定の領域に、Ｘ線透過率がα％（但し、αは定数とする。）のインキで印刷された第１の情報と、
上記第１の情報の存在を隠蔽するために、上記一方の表面から、上記所定の領域を被覆するＸ線透過率がβ％（但し、α＜β；βは定数とする。）の非磁性金属層と、
上記基材の他方の表面上の上記所定の領域に相当する領域に、Ｘ線透過率がγ％（但し、γ＜β；γは定数とする。）のインキで印刷された第２の情報と、
透過Ｘ線のもとで上記第１の情報と上記第２の情報とが合成されて得られる第３の情報と、
上記金属層に記録された第４の情報とを備え、
上記基材のＸ線透過率が上記第１の情報のＸ線透過率であるα％及び上記第２の情報のＸ線透過率であるγ％よりも高く、上記金属層のＸ線透過率が上記基材のＸ線透過率よりも高いことを特徴とする情報記録媒体。
【請求項３】
上記第１の情報、上記第２の情報及び上記第３の情報が機械読み取り可能なコード情報であることを特徴とする請求項１又は２のいずれかに記載の情報記録媒体。
【請求項４】
上記機械読み取り可能なコード情報がバーコードを用いて記録されていることを特徴とする請求項３に記載の情報記録媒体。
【請求項５】
上記Ｘ線透過率がα％のインキ及び上記Ｘ線透過率がγ％のインキは、磁性インキであることを特徴とする請求項４に記載の情報記録媒体。
【請求項６】
上記第３の情報の磁気データは、上記第１の情報の磁気データと上記第２の情報の磁気データとを合成して得られる磁気データであることを特徴とする請求項５に記載の情報記録媒体。
【請求項７】
上記機械読み取り可能なコード情報が２次元コードを用いて記録されていることを特徴とする請求項３に記載の情報記録媒体。
【請求項８】
Ｘ線透過率がα％（但し、αは定数とする。）の基材と、
上記基材の所定の領域に上記基材とＸ線透過率が異なるようにすき入れを用いて付与した第１の情報と、
上記第１の情報の存在を隠蔽するために、上記基材の一方の表面から上記所定の領域を被覆するＸ線透過率がβ％（但し、α＜β；βは定数とする。）の非磁性金属層と、
上記基材の他方の表面上の上記所定の領域に相当する領域に、Ｘ線透過率がγ％（但し、γ＜β；γは定数とする。）のインキで印刷された第２の情報と、
透過Ｘ線のもとで上記第１の情報と上記第２の情報とが合成されて得られる第３の情報とを備え、
上記基材のＸ線透過率が上記第２の情報のＸ線透過率であるγ％よりも高いことを特徴とする情報記録媒体。
【請求項９】
Ｘ線透過率がα％（但し、αは定数とする。）の基材と、
上記基材の所定の領域に上記基材とＸ線透過率が異なるようにすき入れを用いて付与した第１の情報と、
上記第１の情報の存在を隠蔽するために、上記基材の一方の表面から上記所定の領域を被覆するＸ線透過率がβ％（但し、α＜β；βは定数とする。）の非磁性金属層と、
上記基材の他方の表面上の上記所定の領域に相当する領域に、Ｘ線透過率がγ％（但し、γ＜β；γは定数とする。）のインキで印刷された第２の情報と、
透過Ｘ線のもとで上記第１の情報と上記第２の情報とが合成されて得られる第３の情報と、
上記金属層に記録された第４の情報とを備え、
上記基材のＸ線透過率が上記第２の情報のＸ線透過率であるγ％よりも高いことを特徴とする情報記録媒体。
【請求項１０】
Ｘ線透過率がα％（但し、αは定数とする。）の基材と、
上記基材の所定の領域に上記基材とＸ線透過率が異なるように微細穿孔を用いて付与した第１の情報と、
上記第１の情報の存在を隠蔽するために、上記基材の一方の表面から上記所定の領域を被覆するＸ線透過率がβ％（但し、α＜β；βは定数とする。）の非磁性金属層と、
上記基材の他方の表面上の上記所定の領域に相当する領域に、Ｘ線透過率がγ％（但し、γ＜β；γは定数とする。）のインキで印刷された第２の情報と、
透過Ｘ線のもとで上記第１の情報と上記第２の情報とが合成されて得られる第３の情報とを備え、
上記基材のＸ線透過率が上記第２の情報のＸ線透過率であるγ％よりも高いことを特徴とする情報記録媒体。
【請求項１１】
Ｘ線透過率がα％（但し、αは定数とする。）の基材と、
上記基材の所定の領域に上記基材とＸ線透過率が異なるように微細穿孔を用いて付与した第１の情報と、
上記第１の情報の存在を隠蔽するために、上記基材の一方の表面から上記所定の領域を被覆するＸ線透過率がβ％（但し、α＜β；βは定数とする。）の非磁性金属層と、
上記基材の他方の表面上の上記所定の領域に相当する領域に、Ｘ線透過率がγ％（但し、γ＜β；γは定数とする。）のインキで印刷された第２の情報と、
透過Ｘ線のもとで上記第１の情報と上記第２の情報とが合成されて得られる第３の情報と、
上記金属層に記録された第４の情報とを備え、
上記基材のＸ線透過率が上記第２の情報のＸ線透過率であるγ％よりも高いことを特徴とする情報記録媒体。
【請求項１２】
上記第１の情報、上記第２の情報及び上記第３の情報が機械読み取り可能なコード情報であることを特徴とする請求項８、９、１０又は１１のいずれかに記載の情報記録媒体。
【請求項１３】
上記機械読み取り可能なコード情報がバーコードを用いて記録されていることを特徴とする請求項１２に記載の情報記録媒体。
【請求項１４】
上記機械読み取り可能なコード情報が２次元コードを用いて記録されていることを特徴とする請求項１２に記載の情報記録媒体。
【請求項１５】
上記基材と上記第１の情報の間に、上記第１の情報の存在を隠蔽するために、Ｘ線透過率が上記基材のＸ線透過率よりも高いδ％（但し、α＜δ、β＜δ、γ＜δ；δは定数とする。）のインキを用いて隠蔽画線が印刷されていることを特徴とする請求項１、２、３、４、５、６又は７のいずれかに記載の情報記録媒体。
【請求項１６】
上記基材の両面のうち上記金属層を設けた表面と反対側表面に、上記第１の情報の存在を隠蔽するために、Ｘ線透過率が上記基材のＸ線透過率よりも高いδ％（但し、α＜δ、β＜δ、γ＜δ；δは定数とする。）のインキを用いて隠蔽画線が印刷されていることを特徴とする請求項１、２、３、４、５、６又は７のいずれかに記載の情報記録媒体。
【請求項１７】
上記基材の両面のうち上記金属層を設けた表面と反対側表面に、上記第１の情報の存在を隠蔽するために、Ｘ線透過率がδ％（但し、α＜δ、β＜δ、γ＜δ；δは定数とする。）のインキを用いて隠蔽画線が印刷されていることを特徴とする請求項８、９、１０、１１、１２、１３又は１４のいずれかに記載の情報記録媒体。
【請求項１８】
上記金属層と上記第１の情報の間に、上記第１の情報の存在を隠蔽するために、Ｘ線透過率が上記基材のＸ線透過率よりも高いδ％（但し、α＜δ、β＜δ、γ＜δ；δは定数とする。）のインキを用いて隠蔽画線が印刷されていることを特徴とする請求項１、２、３、４、５、６、７、１５又は１６のいずれかに記載の情報記録媒体。
【請求項１９】
上記金属層と上記第１の情報の間に、上記第１の情報の存在を隠蔽するために、Ｘ線透過率がδ％（但し、α＜δ、β＜δ、γ＜δ；δは定数とする。）のインキを用いて隠蔽画線が印刷されていることを特徴とする請求項８、９、１０、１１、１２、１３、１４又は１７のいずれかに記載の情報記録媒体。
【発明の詳細な説明】
【０００１】
【発明の属する技術分野】
本発明は、紙幣、切手、印紙、証紙、株券、債券、商品券、入場券、登録証、会員証、権利証、出入国証、パスポートを含む情報記録媒体に関するものである。
【０００２】
【従来の技術】
これまでの紙幣等の貴重印刷物では、偽造を防止するため、例えば用紙関係ではすき入れ、セキュリティスレッド又は紫外線下で発光する蛍光繊維、印刷関係では、マイクロ文字、斜めに傾けると像が現れる特殊潜像模様、紫外線下で発光する蛍光印刷又は精巧な彩紋や細密な万線、肖像等が各種貴重印刷物に施され、偽造に対する有効性を保持していた。しかし、最近では、カラー複写機による複写物や、パソコンを使用したプリンタ出力物による偽造が多発することから、貴重印刷物の偽造を一層困難にし、尚かつ誰もが簡単に真偽判別可能とするため、上記の偽造防止技術と併せて、光学的変化をともなうＯＶＤや金属箔を貼付させている（例えば、イギリス２０ポンド券、ドイツ１００マルク券等がある。）。
【０００３】
【発明が解決しようとする課題】
このＯＶＤ、金属箔による金属層は、カラー複写やプリンタ出力による偽造に対して有効であるが、その金属層を付与した部分については、ＯＶＤの画像変化や金属箔の色や輝きの認識を妨げないようにするため、金属層が付与された同じ領域においては、他の偽造防止技術を付与することが困難であった。しかし、紙幣等の貴重印刷物では、限られた狭い面積において、偽造防止効果を高めるため、一つの領域に、一つだけではない、複数の偽造防止技術が施されることにより高いセキュリティを持つ。さらに、それらが互いに関連することが、一層の有効性を高める。
【０００４】
【課題を解決するための手段】
そこで、本発明では、金属層下の同じ領域に、通常の視認状態（可視光）では金属層で隠蔽され認識不可能な第１の情報を付与する。この第１の情報は透過Ｘ線のもとで認識可能な情報であり、この第１の情報を付与することで、金属層におけるＯＶＤの画像情報、金属箔の色や輝きの情報以外に、新たな情報を付与することができる。本発明では、さらに、金属層で被覆された同領域の反対面側にも、透過Ｘ線のもとで認識可能な第２の情報を付与し、透過Ｘ線のもとで１つの合成像（第３の情報）が認識できる構成とする。これにより、所定の同一の領域において、さらに複雑な偽造防止効果を得ることが可能となる。又、透過Ｘ線のもとで現れる合成情報と金属層の情報の相関関係の有無を確認して、簡単かつ確実な真偽判別を可能とし、これによってきわめて偽造困難な情報記録媒体を実現する。
【０００５】
本発明は、上記課題を解決するために、基材と、上記基材の一方の表面の所定の領域に、Ｘ線透過率がα％（但し、αは定数とする。）のインキで印刷された第１の情報と、上記第１の情報の存在を隠蔽するために、上記一方の表面から、上記所定の領域を被覆するＸ線透過率がβ％（但し、α＜β；βは定数とする。）の非磁性金属層と、上記基材の他方の表面上の上記所定の領域に相当する領域に、Ｘ線透過率がγ％（但し、γ＜β；γは定数とする。）のインキで印刷された第２の情報と、透過Ｘ線のもとで上記第１の情報と上記第２の情報とが合成されて得られる第３の情報とを備え、上記基材のＸ線透過率が上記第１の情報のＸ線透過率であるα％及び上記第２の情報のＸ線透過率であるγ％よりも高く、上記金属層のＸ線透過率が上記基材のＸ線透過率よりも高いことによって、透過Ｘ線のもとで上記第３の情報が認識可能となることを特徴とする情報記録媒体を提供する。
【０００６】
さらに、本発明は、上記課題を解決するために、基材と、上記基材の一方の表面の所定の領域に、Ｘ線透過率がα％（但し、αは定数とする。）のインキで印刷された第１の情報と、上記第１の情報の存在を隠蔽するために、上記一方の表面から、上記所定の領域を被覆するＸ線透過率がβ％（但し、α＜β；βは定数とする。）の非磁性金属層と、上記基材の他方の表面上の上記所定の領域に相当する領域に、Ｘ線透過率がγ％（但し、γ＜β；γは定数とする。）のインキで印刷された第２の情報と、透過Ｘ線のもとで上記第１の情報と上記第２の情報とが合成されて得られる第３の情報と、上記金属層に記録された第４の情報とを備え、上記基材のＸ線透過率が上記第１の情報のＸ線透過率であるα％及び上記第２の情報のＸ線透過率であるγ％よりも高く、上記金属層のＸ線透過率が上記基材のＸ線透過率よりも高いことによって、透過Ｘ線のもとではない所定の視認条件のもとで上記第３の情報が認識不可能となり、上記第４の情報が認識可能であり、透過Ｘ線のもとで上記第３の情報が認識可能となり、上記第４の情報が認識不可能となることを特徴とする情報記録媒体を提供する。
【０００７】
透過Ｘ線像として認識可能な印刷インキによる上記第１の情報、上記第２の情報及び上記第３の情報は、機械読み取り可能なコード情報とし、バーコード又は２次元コードを用いて記録されている構成としてもよい。
【０００８】
上記Ｘ線透過率がα％のインキ及び上記Ｘ線透過率がγ％のインキは磁性インキとし、上記第３の情報の磁気データが、上記第１の情報の磁気データと上記第２の情報の磁気データとを合成して得られる磁気データとして構成してもよい。
【０００９】
上記第１の情報及び上記第２の情報が、上記金属層及び上記基材よりもＸ線透過率が低い元素を含む有色又は透明インキを用いて印刷されている構成としてもよい。
【００１０】
さらに、本発明は、上記課題を解決するために、Ｘ線透過率がα％（但し、αは定数とする。）の基材と、上記基材の所定の領域に、上記基材とＸ線透過率が異なるようにすき入れを用いて記録された第１の情報と、上記第１の情報の存在を隠蔽するために、上記基材の一方の表面から上記所定の領域を被覆するＸ線透過率がβ％（但し、α＜β；βは定数とする。）の非磁性金属層と、上記基材の他方の表面上の上記所定の領域に相当する領域に、Ｘ線透過率がγ％（但し、γ＜β；γは定数とする。）のインキで印刷された第２の情報と、透過Ｘ線のもとで上記第１の情報と上記第２の情報とが合成されて得られる第３の情報とを備え、上記基材のＸ線透過率が上記第２の情報のＸ線透過率であるγ％よりも高いことによって、透過Ｘ線のもとで上記第３の情報が認識可能となることを特徴とする情報記録媒体を提供する。
【００１１】
さらに、本発明は、上記課題を解決するために、Ｘ線透過率がα％（但し、αは定数とする。）の基材と、上記基材の所定の領域に、上記基材とＸ線透過率が異なるようにすき入れを用いて記録された第１の情報と、上記第１の情報の存在を隠蔽するために、上記基材の一方の表面から上記所定の領域を被覆するＸ線透過率がβ％（但し、α＜β；βは定数とする。）の非磁性金属層と、上記基材の他方の表面上の上記所定の領域に相当する領域に、Ｘ線透過率がγ％（但し、γ＜β；γは定数とする。）のインキで印刷された第２の情報と、透過Ｘ線のもとで上記第１の情報と上記第２の情報とが合成されて得られる第３の情報と、上記金属層に記録された第４の情報とを備え、上記基材のＸ線透過率が上記第２の情報のＸ線透過率であるγ％よりも高いことによって、透過Ｘ線のもとではない所定の視認条件のもとで上記第３の情報が認識不可能となり、上記第４の情報が認識可能であり、透過Ｘ線のもとで上記第３の情報が認識可能となり、上記第４の情報が認識不可能となることを特徴とする情報記録媒体を提供する。
【００１２】
さらに、本発明は、上記課題を解決するために、Ｘ線透過率がα％（但し、αは定数とする。）の基材と、上記基材の所定の領域に、上記基材とＸ線透過率が異なるように微細穿孔を用いて記録された第１の情報と、上記第１の情報の存在を隠蔽するために、上記基材の一方の表面から上記所定の領域を被覆するＸ線透過率がβ％（但し、α＜β；βは定数とする。）の非磁性金属層と、上記基材の他方の表面上の上記所定の領域に相当する領域に、Ｘ線透過率がγ％（但し、γ＜β；γは定数とする。）のインキで印刷された第２の情報と、透過Ｘ線のもとで上記第１の情報と上記第２の情報とが合成されて得られる第３の情報とを備え、上記基材のＸ線透過率が上記第２の情報のＸ線透過率であるγ％よりも高いことによって、透過Ｘ線のもとで上記第３の情報が認識可能となることを特徴とする情報記録媒体を提供する。
【００１３】
さらに、本発明は、上記課題を解決するために、Ｘ線透過率がα％（但し、αは定数とする。）の基材と、上記基材の所定の領域に、上記基材とＸ線透過率が異なるように微細穿孔を用いて記録された第１の情報と、上記第１の情報の存在を隠蔽するために、上記基材の一方の表面から上記所定の領域を被覆するＸ線透過率がβ％（但し、α＜β；βは定数とする。）の非磁性金属層と、上記基材の他方の表面上の上記所定の領域に相当する領域に、Ｘ線透過率がγ％（但し、γ＜β；γは定数とする。）のインキで印刷された第２の情報と、透過Ｘ線のもとで上記第１の情報と上記第２の情報とが合成されて得られる第３の情報と、上記金属層に記録された第４の情報とを備え、上記基材のＸ線透過率が上記第２の情報のＸ線透過率であるγ％よりも高いことによって、透過Ｘ線のもとではない所定の視認条件のもとで上記第３の情報が認識不可能となり、上記第４の情報が認識可能であり、透過Ｘ線のもとで上記第３の情報が認識可能となり、上記第４の情報が認識不可能となることを特徴とする情報記録媒体を提供する。
【００１４】
上記すき入れ又は上記微細穿孔による上記第１の情報、上記第２の情報及び上記第３の情報が機械読み取り可能なコード情報であり、バーコード又は２次元コードを用いて記録されている構成としてもよい。
【００１５】
上記基材と上記印刷インキによる上記第１の情報の間に、上記第１の情報の存在を隠蔽するためにＸ線透過率が上記基材、上記印刷インキ及び上記金属層よりも高いインキを用いて隠蔽画線が印刷されている構成としてもよい。
【００１６】
上記基材の両面のうち上記金属層を設けた表面と反対側表面に上記印刷インキによる上記第１の情報の存在を隠蔽するために、Ｘ線透過率が上記基材、上記印刷インキ及び上記金属層よりも高いインキを用いて隠蔽画線が印刷されている構成としてもよい。
また、上記基材の両面のうち上記金属層を設けた表面と反対側表面に上記すき入れ又は上記微細穿孔による上記第１の情報の存在を隠蔽するために、Ｘ線透過率が上記基材及び上記金属層よりも高いインキを用いて隠蔽画線が印刷されている構成としてもよい。
【００１７】
上記金属層と上記印刷インキによる上記第１の情報の間に上記第１の情報の存在を隠蔽するために、Ｘ線透過率が上記基材、上記印刷インキ及び上記金属層よりも高いインキを用いて隠蔽画線が印刷されている構成としてもよい。
また、上記金属層と上記すき入れ、又は上記微細穿孔による上記第１の情報の間に上記第１の情報の存在を隠蔽するために、Ｘ線透過率が上記基材及び上記金属層よりも高いインキを用いて隠蔽画線が印刷されている構成としてもよい。
【００１８】
上記金属層に記録された上記第２の情報は、ＯＶＤによる画像情報、金属箔の輝きの色、金属箔上に無色蛍光インキで印刷された情報としてもよい。
【００１９】
上記印刷インキ、上記すき入れ又は上記微細穿孔による上記第１の情報を被覆する上記金属層の材料は、例えば非磁性金属のアルミニウムで構成してもよい。
【００２０】
本発明で使用される透過Ｘ線は軟Ｘ線を利用してもよい。
【００２１】
【発明の実施の形態】
本発明に係る情報記録媒体の実施の形態を実施例に基づいて図面を参照して説明する。
【００２２】
（実施例１）
図１は、本発明に係る情報記録媒体の実施例１を説明する図である。図１（ａ）において、この情報記録媒体１は、紙で製造された基材２を有し、この基材２の一方の面の所定の領域Ｒに、第１の情報３が記録されている。この第１の情報３は、具体的には、Ｘ線透過率がα％（但し、αは定数とする。）のインキにより印刷された情報であり、その具体的な態様は、インキにより印刷されたコード、文字、マーク、数字等いろいろな態様、例えば、図１（ｂ）に示すように正三角形の図形である。
【００２３】
この第１の情報３を隠蔽するために、第１の情報３が記録された所定の領域Ｒが、Ｘ線透過率がβ％（但し、α＜β；βは定数とする。）の、例えばアルミニウム等の材料の金属層４で被覆されている。さらに、基材２の上記一方の面（表面）の所定の領域Ｒに対応する他方の面（裏面）の所定の領域Ｒに、第２の情報５が記録されている。この第２の情報５は、具体的には、Ｘ線透過率がγ％（但し、γ＜β；γは定数とする。）のインキにより印刷された情報、例えば、図１（ｃ）に示すように、逆正三角形の図形である。
【００２４】
ここでＸ線、例えば軟Ｘ線を情報記録媒体１に透過する。すると、第１の情報３及び第２の情報５は、それらのインキのＸ線透過率α％及びγ％が、金属層４（β％）及び基材２（ここで、Ｘ線透過率は、印刷インキによる第１の情報及び第２の情報＜基材＜金属層となるように構成されている。）より低いために、第１の情報３と第２の情報５、更に、第１の情報３と第２の情報５が合成された第３の情報６は、Ｘ線透過像として認識可能となる。ここでは、図１（ｄ）で示すように正三角形と逆三角形が合成された星形の図形がＸ線透過像となって現れる。
この実施例１は金属層が付与された同一領域において、金属層以外に、金属層下に施された印刷インキによる第１の情報３と第２の情報５が合成された第３の情報６を読み取ることで、真正情報と比較、照合して真偽判別を行うことができる。
【００２５】
第１の情報３はＸ線透過率がα％のインキにより印刷されており、第２の情報５はＸ線透過率がγ％のインキにより印刷されているが、それらの構成又は第１の情報３と第２の情報５の合成情報である第３の情報６の構成は、上記図形以外にコード、文字、マーク、数字等いろいろな態様がある。
【００２６】
第１の情報３、第２の情報５及び第３の情報６が、機械読み取り可能なコード情報である構成について説明する。図２（ａ）は、第１の情報３が領域Ｒ内にバーコード７を用いて記録されている構成を示している。図２（ｂ）は、第２の情報５が領域Ｒ内にバーコード７’を用いて記録されている構成を示している。バーコード７及びバーコード７’は、Ｘ線透過率がα％及びγ％のインキで夫々印刷されている。従って、情報記録媒体にＸ線を透過させると、図２（ｃ）のように、第１の情報３及び第２の情報５の合成情報として第３の情報６であるバーコード８が現れ、この第３の情報を目視又は光学的に読み取って、真正のコードと比較、照合することで真偽判別が可能となる。
【００２７】
図３（ａ）は、第１の情報３が２次元コード９を用いてマトリックス状に記録されている構成を示している。図３（ｂ）は、第２の情報５が２次元コード１０を用いてマトリックス状に記録されている構成を示している。第１の情報及び第２の情報の２次元コードの要素１１及び要素１２は、夫々Ｘ線透過率がα％及びγ％のインキで印刷されている。
【００２８】
従って、この情報記録媒体１にＸ線を透過させると、図３（ｃ）のように第１の情報３及び第２の情報５が合成された第３の情報６となる２次元コードの合成情報、即ち２次元コード９と２次元コード１０の合成２次元コード１３が現れ、この合成２次元コード１３を目視又は光学的に読み取って、真正のコードと比較、照合することで真偽判別が可能となる。このような、合成された２次元コードによると、より多量の情報を付与することが可能となり、真偽判別及び偽造防止効果が高まる。
【００２９】
図４は、第１の情報３を付与するバーコード１４のバー及び第２の情報５を付与するバーコード１５のバーが、夫々Ｘ線透過率がα％、γ％であり、磁束密度がバーごとにそれぞれ所定のインキで印刷されている構成を示している。図４（ａ）は、第１の情報３のバーコード１４とバーごとの磁束密度を示し、図４（ｂ）は第２の情報５のバーコード１５とバーごとの磁束密度を示している。
【００３０】
真偽判別に際しては、このような情報の付与された情報記録媒体１をＸ線透過像により読み取るとともに、磁気センサによりバーごとの磁束密度を読み取る。その結果、図４（ｃ）に示すような、第１の情報３及び第２の情報５が合成された第３の情報６である全桁のバーコード１６が得られるとともに、しかもバーごとの磁束密度が合算された磁束密度のデータが得られる。このような合成バーコード１６と合成磁束密度のデータから成る合成情報を、真正データと比較、照合し真偽判別が行われる。
【００３１】
このような情報記録媒体の構成であると、バーコードを構成する各バーの有無に加えて、バーごとの所定の磁束密度の情報も付与することができ、真偽判別においては、Ｘ線透過像及び磁気センサにより、合成バーコード及び各バーごとの合成磁束密度の情報をチェックすることができるので、確実な真偽判別が可能であり、偽造防止効果がきわめて大きい。
【００３２】
次に、第１の情報３におけるインキについて説明する。この具体例としては、第１の情報３が基材２の色調と異なる色調の有色インキであって、金属層及び基材よりもＸ線透過率が低い元素を含む有色インキを用いて印刷されている構成である。又、第１の情報３は、金属層及び基材よりもＸ線透過率が低い元素を含む透明インキを用いて印刷されている構成としてもよい。
【００３３】
次に、第２の情報５におけるインキについて説明する。この具体例としては、第２の情報５が上記基材２の色調と異なる色調の有色インキであって、金属層及び基材よりもＸ線透過率が低い元素を含む有色インキを用いて印刷されている構成である。又、第２の情報５は、金属層及び基材よりもＸ線透過率が低い元素を含む透明インキを用いて印刷されている構成としてもよい。
【００３４】
このように、第１の情報３又は第２の情報５を金属層及び基材よりもＸ線透過率が低い元素を含む有色又は透明インキを用いて印刷されている構成とすると、例えばアルミニウムを材料とする金属層で被覆された第１の情報３とその裏面側に印刷された第２の情報５が、透過Ｘ線のもとで、基材２及び金属層４よりもＸ線透過率が低いために、第１の情報３と第２の情報５の合成情報である第３の情報６が、Ｘ線透過像として認識可能となり、真偽判別が可能となる。ここで、第１の情報３が、透明インキを用いて印刷されている場合には、金属層４がはがされても第１の情報３が認識不可能となり、又第２の情報５についても透明インキで印刷された場合、その図柄が認識不可能となる。この場合、透過Ｘ線のもとで初めて、透明インキを用いた第１の情報３、第２の情報５及びその合成情報である第３の情報６が認識可能となるため、偽造防止効果が高くなる。
【００３５】
（実施例２）
図５は、本発明に係る情報記録媒体の実施例２を示す図である。この実施例では、基材２と、この基材２の一面及び他面に記録された第１の情報３、第２の情報５、及び第１、第２の合成情報である第３の情報６については、実施例１と全く同様である。この実施例２の情報記録媒体１７では、金属層４に第４の情報１８が記録されている。但し、第３の情報＝第４の情報、又は第３の情報≠第４の情報とする。
【００３６】
ところで、この第４の情報１８は、透過Ｘ線のもとでは読み取ることができない状態で記録されている。この第４の情報１８は、透過Ｘ線のもとではない所定の視認条件のもとで認識可能となる。例えば、第４の情報１８の所定の視認条件として、紫外線を照射すると発光が生じる無色蛍光インキによる構成としてもよいし、又は可視光下での観察において、画像情報が認識できるＯＶＤの構成や輝いた色を認識できる金属箔の構成としてもよい。
このように金属層の情報を活用することにより、同一領域に複数の技術を付与することができるだけでなく、情報の相関をもたせることができる。
【００３７】
実施例２の情報記録媒体１７は以上のような構成であるから、透過Ｘ線のもとではない所定の視認条件のもとで、第３の情報６が認識不可能となり、金属層４に形成された第４の情報１８は認識可能であり、透過Ｘ線のもとで、第３の情報６が認識可能となり、第４の情報１８が認識不可能となる。そして、第４の情報１８は、第３の情報６と予め特定の相関関係（例えば、同一である又は同一でなくてもアルファベット順の関係がある、輝いた色と相関をもたせる等）を有するような情報として記録し、真偽判別の際、特定の相関関係の有無を確認して真偽判別可能な構成としてもよい。
【００３８】
（実施例３）
図６は、本発明に係る情報記録媒体の実施例３を説明する図である。図６（ａ）において、実施例３の情報記録媒体１９は、Ｘ線透過率がα％（但し、αは定数とする。）の紙で製造された基材２０を有し、この基材２０の一部である所定の領域Ｒに、第１の情報２１、例えば、図６（ｂ）に示すように三角形のマークがすき入れを用いて記録されている。
【００３９】
そして、この第１の情報２１の存在を隠蔽するために、基材２０の一方の表面の上記第１の情報２１が記録された所定の領域Ｒに、Ｘ線透過率がβ％（但し、α＜β；βは定数とする。）の、例えばアルミニウム等の材料の金属層４で被覆されている。さらに、この一方の面の所定の領域Ｒに対応する基材２０の他方の面（裏面）の所定の領域Ｒに、Ｘ線透過率がγ％（但し、γ＜α、γ＜β；γは定数とする。）のインキで印刷された第２の情報２２、例えば、図６（ｃ）に示すように逆三角形のマークが記録されている。
【００４０】
第１の情報２１は、すき入れを利用して記録されており、このすき入れのＸ線透過率が基材２０のすき入れではない地の部分と異なるため、Ｘ線透過反応が異なる。このすき入れによる第１の情報２１を被覆する金属層４は、基材２０よりもＸ線透過率が高いため、実施例３の情報記録媒体１９に、例えば軟Ｘ線を透過させると、すき入れを利用して記録された第１の情報２１は、Ｘ線透過像として認識可能となる。又、さらに印刷インキによる第２の情報２２はＸ線透過率が、基材２０及び金属層４よりも低いため、すき入れによる第１の情報２１と同様、透過Ｘ線のもとで、Ｘ線透過像として認識可能となる。この結果、図６（ｄ）に示すように、第１の情報２１と第２の情報２２が合成された第３の情報２３である三角形と逆三角形を合成した星形のマークが認識可能となる。
この実施例３は、金属層が付与された同一領域において、金属層以外に、金属層下に施されたすき入れによる第１の情報２１と、印刷インキによる第２の情報２２が合成された第３の情報２３を読み取ることで、真正情報と比較、照合して真偽判別を行うことができる。この実施例３では、第１の情報と第２の情報が異なる手法で付与されるため、さらに偽造防止効果が高い。
【００４１】
第１の情報２１は基材２０にすき入れを用いて記録され、第２の情報２２は基材の裏面にＸ線透過率がγ％のインキで印刷されて記録されているが、それらの構成及び合成情報である第３の情報２３の構成は、文字、マーク、数字でもよいし、機械読み取り可能なコード情報としてもよい。
【００４２】
図７（ａ）に示すように、第１の情報２１が基材２０に、例えば、すき入れを用いてバーコード２４で記録されおり、図７（ｂ）に示すように、第２の情報２２が基材２０の裏面にＸ線透過率がγ％のインキでバーコード２４’が印刷されている構成を示している。
【００４３】
この情報記録体に例えば軟Ｘ線を透過させると、図７（ｃ）に示すように、第１の情報２１であるバーコード２４と第２の情報２２であるバーコード２４’を合成した第３の情報２３として合成バーコード２５がＸ線透過像として認識可能となり、これを目視又は光学的に読み取って、真正のバーコードと照合することで真偽判別が可能となる。
【００４４】
図８は、機械読み取り可能なコード情報が、図８（ａ）に示すように、基材２０に、例えば、すき入れにより２次元コード２６としてマトリックス状に記録されているとともに、図８（ｂ）に示すように、基材２０の裏面にもＸ線透過率がγ％のインキで２次元コード２７が印刷されている構成を示している。
【００４５】
真偽判別に際しては、この情報記録媒体１９にＸ線透過のもとで、図８（ｃ）に示すように、第１の情報２１である２次元コード２６及び第２の情報２２である２次元コード２７を合成した第３の情報２３である合成２次元コード２８がＸ線透過像として識別可能となり、これを目視又は光学的に読み取って、真正のコードと照合することで真偽判別が可能となる。このように、すき入れ及びインキに夫々２次元コードによる情報を付与し、これらの合成２次元コードを真偽判別に利用すると、より多量の情報を付与することが可能となり、真偽判別効果及び偽造防止効果が一層高まる。
【００４６】
次に、第２の情報２２におけるインキについて説明する。この具体例としては、第２の情報２２が上記基材２０の色調と異なる色調の有色インキであって、金属層及び基材よりもＸ線透過率が低い元素を含む有色インキを用いて印刷されている構成である。又、第２の情報２２は、金属層及び基材よりもＸ線透過率が低い元素を含む透明インキを用いて印刷されている構成としてもよい。
【００４７】
このように、第２の情報２２を金属層及び基材よりもＸ線透過率が低い元素を含む有色又は透明インキを用いて印刷されている構成とすると、第２の情報２２は、基材２０及び金属層４よりもＸ線透過率が低いために、透過Ｘ線のもとで、すき入れによる第１の情報２１の他に、Ｘ線透過像で認識できる第２の情報２２を付与することが可能となる。この実施例３では、すき入れによる第１の情報と印刷インキによる第２の情報といった、情報の付与法が異なるものによる合成情報として第３の情報が認識可能となるため偽造防止効果は高い。
【００４８】
（実施例４）
図９は、本発明に係る情報記録媒体の実施例４を示す図である。この実施例４の情報記録媒体２９は、基材２０と、基材２０の一部にすき入れを用いて記録された第１の情報２１、基材２０の裏面に透過率γ％のインキで印刷された第２の情報２２、及び第１の情報と第２の情報の合成情報である第３の情報２３については、実施例３と全く同様である。この実施例４の情報記録媒体２９では、金属層４に第４の情報３０が記録されている。但し、第３の情報＝第４の情報、又は第３の情報≠第４の情報とする。
【００４９】
ところで、この第４の情報３０は、Ｘ線を透過しても読み取ることができず、その所定の視認条件は、例えば、紫外線を照射すると発光を生じる無色蛍光インキによる構成としてもよいし、又は可視光下での観察において、画像情報が認識できるＯＶＤの構成や輝いた色を認識できる金属箔の構成としてもよい。
このように金属層の情報を活用することにより、同一領域に複数の技術を付与することができるだけでなく、情報の相関をもたせることができる。
【００５０】
実施例４の情報記録媒体２９は以上のような構成であるから、透過Ｘ線のもとではない所定の視認条件のもとで、第３の情報２３が認識不可能となり、金属層４に形成された第４の情報３０は認識可能であり、透過Ｘ線のもとで、第３の情報２３が認識可能となり、第４の情報３０が認識不可能となる。
【００５１】
そして、第４の情報３０は、第３の情報２３と予め特定の相関関係（例えば、同一である又は同一でなくてもアルファベット順の関係がある、輝いた色と相関を持たせる等）を有するような情報として記録し、真偽判別の際、特定の相関関係の有無を確認して真偽判別可能な構成としてもよい。
【００５２】
（実施例５）
図１０は、本発明に係る情報記録媒体の実施例５を説明する図である。図１０（ａ）において、この情報記録媒体３１は、Ｘ線透過率がα％（但し、αは定数とする。）の紙で製造された基材２０を有し、この基材２０の一部である所定の領域Ｒに、第１の情報３２、例えば、図１０（ｂ）に示すような三角点のマークが微細穿孔（レーザを照射して基材を穿孔する。以下同じ）を用いて記録されている。
【００５３】
そして、この第１の情報３２の存在を隠蔽するために、基材２０の一方の表面の上記第１の情報３２が記録された所定の領域Ｒに、Ｘ線透過率がβ％（但し、α＜β；βは定数とする。）の、例えばアルミニウム等の材料の金属層４が被覆されている。さらに、この一方の面の所定の領域Ｒに対応する基材２０の他方の面（裏面）の所定の領域Ｒに、Ｘ線透過率がγ％（但し、γ＜α、γ＜β；γは定数とする。）のインキで印刷された第２の情報３３、例えば、図１０（ｃ）に示すような逆三角形のマークが記録されている。
【００５４】
第１の情報３２は、微細穿孔を利用して記録されているから、この微細穿孔部のＸ線透過率は基材２０の微細穿孔のない他の部分と比べ、Ｘ線透過反応が高くなる。又金属層４が基材２０よりもＸ線透過率が高いため、例えば実施例５の情報記録体３１に、軟Ｘ線等のＸ線を透過させると、微細穿孔を利用して記録された第１の情報３２は、微細穿孔の有無によりＸ線透過反応が異なるＸ線透過像として認識可能となる。さらに、第２の情報３３はＸ線透過率が基材２０及び金属層４より低いために、第１の情報３２と同様、透過Ｘ線のもとでＸ線透過像が認識可能となる。この結果、第１の情報３２と第２の情報３３が合成された第３の情報３４である三角点と逆三角点を合成した六角点のマークが認識可能となる。
この実施例５は、金属層が付与された同一領域において、金属層以外に、金属層下に施された微細穿孔による第１の情報３２と、印刷インキによる第２の情報３３が合成された第３の情報３４を読み取ることで、真正情報と比較、照合して真偽判別を行うことができる。この実施例５では、第１の情報と第２の情報が異なる手法で付与されるため、さらに偽造防止効果が高い。
【００５５】
第１の情報３２は基材２０に微細穿孔を用いて記録され、第２の情報３３は基材の裏面にＸ線透過率がγ％のインキで印刷されて記録されているが、それらの構成及び合成された第３の情報３４の構成は、文字、マーク、数字でもよいし、機械読み取り可能なコード情報としてもよい。
【００５６】
図１１は、機械読み取り可能なコード情報が、基材に微細穿孔により第１の情報３２として２次元コード３５がマトリックス状に記録されているとともに、基材２０の裏面にも第２の情報３３としてＸ線透過率がγ％のインキで２次元コード３６が印刷されている構成を示している。
【００５７】
真偽判別に際しては、この情報記録媒体３１を透過Ｘ線のもとで確認を行うと、第１の情報３２である２次元コード３５及び第２の情報３３である二次元コード３６を合成した第３の情報３４である合成２次元コード３７が透過Ｘ線像として認識可能となり、これを目視又は光学的に読み取って、真正のコードと照合することで真偽判別が可能となる。このように、微細穿孔及びインキにより夫々２次元コードによる情報を付与し、この合成２次元コードを真偽判別に利用すると、より多量の情報を付与することが可能となり、真偽判別効果及び偽造防止効果が一層高まる。
【００５８】
次に、第２の情報３３におけるインキについて説明する。この具体例としては、第２の情報３３が上記基材２０の色調と異なる色調の有色インキであって、金属層４及び基材２０よりもＸ線透過率が低い元素を含む有色インキを用いて印刷されている構成である。又、第２の情報３３は金属層４及び基材２０よりもＸ線透過率が低い元素を含む透明インキを用いて印刷されている構成としてもよい。
【００５９】
このように、第２の情報３３を金属層４及び基材２０よりもＸ線透過率が低い元素を含む有色又は透明インキを用いて印刷されている構成とすると、第２の情報３３は、基材２０又は金属層４よりもＸ線透過率が低いために、透過Ｘ線のもとで、微細穿孔による第１の情報３２の他に、Ｘ線透過像で認識できる第２の情報３３を付与することが可能となる。この実施例５では、微細穿孔による第１の情報と印刷インキによる第２の情報といった、情報の付与法が異なるものによる合成情報として第３の情報が認識可能となるため偽造防止効果は高い。
【００６０】
（実施例６）
図１２は、本発明に係る情報記録媒体の実施例６を示す図である。この実施例６では、基材２０と、基材２０の一部に微細穿孔により記録された第１の情報３２、基材２０の裏面に透過率γ％のインキで印刷された第２の情報３３及び第１の情報と第２の情報の合成情報である第３の情報３４については、実施例５と全く同様である。この実施例６の情報記録媒体３７’では、金属層４に第４の情報３８が記録されている。但し、第３の情報＝第４の情報、又は第３の情報≠第４の情報とする。
【００６１】
ところで、この第４の情報３８は、Ｘ線を透過しても読み取ることができない状態で記録されている。例えば、第４の情報３８は、視認条件として、紫外線を照射すると発光を生じる無色蛍光インキによる構成としてもよいし、又は可視光下での観察により情報が目視できるＯＶＤの構成や輝いた色を認識できる金属箔の構成としてもよい。
このように金属層の情報を活用することにより、同一領域に複数の技術を付与するだけでなく、情報の相関を持たせることができる。
【００６２】
実施例６の情報記録媒体３７’は以上のような構成であるから、透過Ｘ線のもとではない所定の視認条件のもとで、第３の情報３４が認識不可能となり、金属層４に形成された第４の情報３８は認識可能であり、透過Ｘ線のもとで、第３の情報３４が認識可能となり、第４の情報３８が認識不可能となる。
【００６３】
そして、第４の情報３８は、第３の情報３４と予め特定の相関関係（例えば、同一である又は同一でなくてもアルファベット順の関係がある、輝いた色と相関を持たせる等）を有するような情報として記録し、真偽判別の際、特定の相関関係の有無を確認して真偽判別可能な構成としてもよい。
【００６４】
以上、本発明に係る情報記録媒体の実施例１〜６について説明したが、実施例１〜６の情報記録媒体に、偽造防止効果をさらに高めるための隠蔽画線を付設した変形例を、以下説明する。
ここでは、金属層で隠蔽される第１の情報３が、金属層又は基材を通して目視できないようにするために第１の情報３についての隠蔽例を述べる。
【００６５】
（実施例１、２の変形例）
図１３は、実施例１の変形例を示す図である。図１３（ａ）〜（ｅ）に示す変形例は、いずれも実施例１の情報記録媒体１に、金属層で隠蔽された第１の情報３が、基材をとおして裏面から認識できないように、又金属層をとおして認識できないように、それぞれ隠蔽画線を付与したことを特徴とする。
なお、図１３（ａ）〜（ｅ）の金属層４に第３の情報１８（図５）を付与することで実施例２の変形例になるが、その記載を省略する。
【００６６】
隠蔽画線としては、地紋が緻密に印刷、又はベタ印刷されて成る第１の隠蔽画線３９や第２の隠蔽画線４０があり、これらの隠蔽画線３９、４０は、第１の情報３、第２の情報５、基材２及び金属層４よりもＸ線透過率が高い構成である。このため、透過Ｘ線のもとで第１の情報３、第２の情報５及び第１の情報と第２の情報の合成である第３の情報６の識別を阻害するものではない。この時、第１の隠蔽画線３９及び第２の隠蔽画線４０は、第１の情報３、第２の情報５、基材２及び金属層４よりもＸ線透過率が高いという条件を満足する同一のＸ線透過率のインキを用いて印刷される構成とし、本発明に係る特許請求の範囲に記載の隠蔽画線についても同様の構成とした。
【００６７】
図１３（ａ）、（ｂ）は、それぞれ実施例１の情報記録媒体において、基材２の金属層４の反対側の面（裏面）から基材２を通して、第１の情報３を目視することができないように、基材２の所定の領域Ｒ上に第１の隠蔽画線３９を印刷して成る構成である。
【００６８】
図１３（ａ）は、基材２の表面の領域Ｒ上に第１の隠蔽画線３９を印刷してから第１の情報３を印刷して成る構成であり、図１３（ｂ）は、基材２の裏面の領域Ｒ上に第１の隠蔽画線３９を印刷して成る構成である。
【００６９】
図１３（ｃ）、（ｄ）及び（ｅ）は第１の情報３が、金属層を通して目視できないように、又は金属層がはがされた場合に目視できないよう、第１の情報３の上に第２の隠蔽画線４０を印刷して成る構成である。ここで、図１３（ａ）、（ｂ）と組み合わせた複雑なものもある。
【００７０】
図１３（ｃ）は、第１の情報３の上から領域Ｒ上に第２の隠蔽画線４０を印刷して成る構成である。図１３（ｄ）は、基材２の裏面の領域Ｒ上に第１の隠蔽画線３９を印刷するととともに、第１の情報３の上から領域Ｒ上に第２の隠蔽画線４０を印刷して成る構成であり、第１の情報３を上下両面からより効果的に隠蔽できる。図１３（ｅ）は、基材２の表面の領域Ｒ上に第１の隠蔽画線３９を印刷するととともに、第１の情報３の上から領域Ｒ上に第２の隠蔽画線４０を印刷して成る構成であり、第１の情報２を上下両面からより効果的に隠蔽することができる。
【００７１】
（実施例３〜６の変形）
図１４は、実施例３〜６の変形例を示す図である。図１４（ａ）〜（ｃ）に示す変形例は、いずれも実施例３〜６の情報記録媒体に、その第１の情報、即ち、すき入れ（実施例３、４）及び微細穿孔（実施例５、６）が基材２０又は金属層４を通して目視できないように、第１の情報を隠蔽するための隠蔽画線を付設した構成を特徴とする。隠蔽画線は、図１３に利用した隠蔽画線と全く同様の第１の隠蔽画線３９及び第２の隠蔽画線４０を利用する。なお、図１４（ａ）〜（ｃ）中では実施例４の第４の情報３０、実施例６の第４の情報３８については、その記載を省略する。
【００７２】
図１４（ａ）は、基材２０の裏面の領域Ｒ上に第１の隠蔽画線３９を印刷して成る構成であり、図１４（ｂ）は、基材２０の表面の領域Ｒ上に第２の隠蔽画線４０を印刷して成る構成である。図１４（ｃ）は、基材２０の裏面の領域Ｒ上に第１の隠蔽画線３９を印刷するととともに、基材２０の表面において第１の情報２１、３２（実施例３、４の場合は２１、実施例５，６の場合は３２）の上から領域Ｒ上に第２の隠蔽画線４０を印刷し、第１の情報２１、３２を上下両面からより効果的に隠蔽することができる構成を示している。
【００７３】
図１５は隠蔽画線の一例を示すもので、第１の情報（実施例１、２では印刷インキによる情報、実施例３、４ではすき入れによる情報、実施例５、６では微細穿孔による情報）である三角マークを緻密に印刷した地紋画線４１で隠蔽する構成を示している。また、この隠蔽画線はベタ印刷によるものとしてもよい。
【００７４】
以上本発明の実施の形態を実施例に基づいて図面を参照して説明したが、本発明は上記実施例に限定されることなく、特許請求の範囲記載の技術的事項の範囲内でいろいろな実施例があることは言うまでもない。
例えば、基材としてプラスチック、合成樹脂等を用いてもよい。この場合は、基材の厚さを変化させてＸ線透過率に差を設けて情報を付与することができる。又、紙の場合と同様に、印刷インキによる印刷又はレーザ穿孔による微細穿孔によって情報を施してもよい。
【００７５】
【発明の効果】
以上のように本発明に関わる情報記録媒体は、同一領域に複数の情報を付与することができ、特に、透過Ｘ線のもとで、表裏面を合成した情報が得られるため、限られた狭い面積である紙幣等の貴重印刷物において、偽造防止効果を一層、高めることができる。第１の情報をすき入れ、微細穿孔とした場合には、印刷インキによる第２の情報と付与手法が異なるため、偽造防止効果は高まる。さらに金属層の情報と透過Ｘ線のもとで認識可能な情報との両情報に相関関係を施すことにより、同一領域で複数の技術が付与されるだけでなく一層、複雑なものとなる。
金属層下の第１の情報は、透過Ｘ線のもとで情報を確認するため、透過Ｘ線装置が空港、各研究機関等の特殊な場所のみにあるため、その情報は一般には確認困難である。
これらによりきわめて偽造困難な情報記録媒体を実現する。
【図面の簡単な説明】
【図１】本発明に係る情報記録媒体の実施例１を説明する図である。
【図２】本発明に係る情報記録媒体の実施例１の要部を説明する図である。
【図３】本発明に係る情報記録媒体の実施例１の要部を説明する図である。
【図４】本発明に係る情報記録媒体の実施例１の要部を説明する図である。
【図５】本発明に係る情報記録媒体の実施例２を説明する図である。
【図６】本発明に係る情報記録媒体の実施例３を説明する図である。
【図７】本発明に係る情報記録媒体の実施例３の要部を説明する図である。
【図８】本発明に係る情報記録媒体の実施例３の要部を説明する図である。
【図９】本発明に係る情報記録媒体の実施例４を説明する図である。
【図１０】本発明に係る情報記録媒体の実施例５を説明する図である。
【図１１】本発明に係る情報記録媒体の実施例５の要部を説明する図である。
【図１２】本発明に係る情報記録媒体の実施例６を説明する図である。
【図１３】本発明に係る情報記録媒体の実施例１、２の変形例を説明する図である。
【図１４】本発明に係る情報記録媒体の実施例３〜６の変形例を説明する図である。
【図１５】変形例の隠蔽画線を説明する図である。
【符号の説明】
１、１７、１９、２９、３１、３７’    情報記録媒体
２、２０    基材
３、２１、３２      第１の情報
４    金属層
５、２２、３３    第２の情報
６、２３、３４    第３の情報（合成情報）
７、７’、８，１４、１５、１６，２４、２４’、２５  バーコード
９、１０、１３，２６、２７、２８，３５、３６、３７  ２次元コード
１１、１２    所定のコード（２次元コード）
１８、３０、３８    第４の情報
３９    第１の隠蔽画線
４０    第２の隠蔽画線
４１    地紋画線
【図１】
2004192372.tif 000003
【図２】
2004192372.tif 000004
【図３】
2004192372.tif 000005
【図４】
2004192372.tif 000006
【図５】
2004192372.tif 000007
【図６】
2004192372.tif 000008
【図７】
2004192372.tif 000009
【図８】
2004192372.tif 000010
【図９】
2004192372.tif 000011
【図１０】
2004192372.tif 000012
【図１１】
2004192372.tif 000013
【図１２】
2004192372.tif 000014
【図１３】
2004192372.tif 000015
【図１４】
2004192372.tif 000016
【図１５】
2004192372.tif 000017